(57)【要約】【課題】  本発明は無線通信機能を有する、携帯電話機等の携帯端末装置、その携帯端末装置内で受信される不在着信プログラム、および、携帯端末装置における不在着信時の画像表示方法に関し、複数の不在着信の発信元を容易に確認できる機能を備える。【解決手段】  複数の不在着信があったときに、表示画面上に、所定の優先順位に従い、それら複数の不在着信のうちの優先順位が最も高い不在着信の発信元に対応づけられている画像を表示するとともに、画像消去の指示を受けて、表示画面上に現在表示されている画像を消去して、上記複数の不在着信のうちの、今回消去した画像に対応づけられた不在着信の次に高い優先順位の不在着信の発信元に対応づけられている画像を表示する。【選択図】        図１０
2007143057.tif 000002
【特許請求の範囲】
【請求項１】
無線通信機能を有する携帯端末装置において、
着信時に着信に応じた操作が行なわれなかった不在着信があったときに表示すべき画像を、該不在着信の発信元と対応づけて記憶しておく対応記憶部と、
表示画面を有し、不在着信があったときに該不在着信の発信元に対応づけられている画像を該表示画面上に表示する画像表示部と、
前記表示画面上に表示されている、不在着信の発信元に対応づけられた画像を消去する操作を受け付けて、前記画像表示部に該画像を消去させる画像消去指示部とを備え、
前記画像表示部は、複数の不在着信があったときに、前記表示画面上に、所定の優先順位に従い、該複数の不在着信のうちの優先順位が最も高い不在着信の発信元に対応づけられている画像を表示するとともに、前記画像消去指示部からの画像消去の指示を受けて、前記表示画面上に現在表示されている画像を消去して、前記複数の不在着信のうちの、今回消去した画像に対応づけられた不在着信の次に高い優先順位の不在着信の発信元に対応づけられている画像を表示するものであることを特徴とする携帯端末装置。
【請求項２】
前記画像表示部は、複数の不在着信があったときに、時間的に後の不在着信ほど高い優先順位を付与して、前記表示画面上に、最新の不在着信の発信元に対応づけられている画像を表示するものであることを特徴とする請求項１記載の携帯端末装置。
【請求項３】
前記対応記憶部は、画像と発信元とを対応づけて記憶するとともに、さらに発信元どうしの優先順位を記憶しておくものであって、
前記画像表示部が、複数の不在着信があったときに、前記対応記憶部に記憶された優先順位に従って、前記表示画面上に、該複数の不在着信の発信元のうちの優先順位が最も高い発信元に対応づけられている画像を表示するものであることを特徴とする請求項１記載の携帯端末装置。
【請求項４】
この携帯端末装置が、無線通信により電話を受ける電話受話機能と、無線通信により電子メールを受信するメール受信機能とを有し、
前記対応記憶部が、受話機能とメール受信機能との間で付された優先順位を記憶しておくものであって、
前記画像表示部が、電話の不在着信と電子メールの不在着信との双方の不在着信があったときに、前記対応記憶部に記憶された優先順位に従って、前記表示画面上に、電話の不在着信と電子メールの不在着信とのうちの優先順位の高い不在着信の発信元に対応づけられている画像を表示するものであることを特徴とする請求項１記載の携帯端末装置。
【請求項５】
前記画像表示部は、不在着信の発信元に対応づけられている画像を全ての不在着信について消去したときに、前記表示画面上に、あらかじめ定められている待受画面を表示するものであることを特徴とする請求項１記載の携帯端末装置。
【請求項６】
無線通信機能を有する携帯端末装置内で実行されることにより、該携帯端末装置を、
着信時に着信に応じた操作が行なわれなかった不在着信があったときに表示すべき画像を、該不在着信の発信元と対応づけて記憶しておく対応記憶部と、
表示画面を有し、不在着信があったときに該不在着信の発信元に対応づけられている画像を該表示画面上に表示する画像表示部と、
前記表示画面上に表示されている、不在着信の発信元に対応づけられた画像を消去する操作を受け付けて、前記画像表示部に該画像を消去させる画像消去指示部とを備え、
前記画像表示部が、複数の不在着信があったときに、前記表示画面上に、所定の優先順位に従い、該複数の不在着信のうちの優先順位が最も高い不在着信の発信元に対応づけられている画像を表示するとともに、前記画像消去指示部からの画像消去の指示を受けて、前記表示画面上に現在表示されている画像を消去して、前記複数の不在着信のうちの、今回消去した画像に対応づけられた不在着信の次に高い優先順位の不在着信の発信元に対応づけられている画像を表示するものである携帯端末装置として動作させることを特徴とする不在着信プログラム。
【請求項７】
前記画像表示部は、複数の不在着信があったときに、時間的に後の不在着信ほど高い優先順位を付与して、前記表示画面上に、最新の不在着信の発信元に対応づけられている画像を表示するものであることを特徴とする請求項６記載の不在着信プログラム。
【請求項８】
前記対応記憶部は、画像と発信元とを対応づけるとともに、さらに発信元どうしの優先順位を記憶しておくものであって、
前記画像表示部が、複数の不在着信があったときに、前記対応記憶部に記憶された優先順位に従って、前記表示画面上に、該複数の不在着信の発信元のうちの優先順位が最も高い発信元に対応づけられている画像を表示するものであることを特徴とする請求項６記載の不在着信プログラム。
【請求項９】
この携帯端末装置が、無線通信により電話を受ける電話受話機能と、無線通信により電子メールを受信するメール受信機能とを有し、
前記対応記憶部が、受話機能とメール受信機能との間で付された優先順位を記憶しておくものであって、
前記画像表示部が、電話の不在着信と電子メールの不在着信との双方の不在着信があったときに、前記対応記憶部に記憶された優先順位に従って、前記表示画面上に、不在着信と電子メールの不在着信とのうちの優先順位の高い不在着信の発信元に対応づけられている画像を表示するものであることを特徴とする請求項６記載の不在着信プログラム。
【請求項１０】
無線通信機能を有する携帯端末装置における画像表示方法において、
着信時に着信に応じた操作が行なわれなかった不在着信があったときに表示すべき画像を、該不在着信の発信元と対応づけて記憶しておく対応記憶ステップと、
不在着信があったときに該不在着信の発信元に対応づけられている画像を該表示画面上に表示するとともに、該表示画面上に表示されている、不在着信の発信元に対応づけられた画像を消去する操作を受け付けて、該画像を消去する画像表示ステップとを有し、
前記画像表示ステップは、複数の不在着信があったときに、前記表示画面上に、所定の優先順位に従い、該複数の不在着信のうちの優先順位が最も高い不在着信の発信元に対応づけられている画像を表示するとともに、画像消去の指示を受けて、前記表示画面上に現在表示されている画像を消去して、前記複数の不在着信のうちの、今回消去した画像に対応づけられた不在着信の次に高い優先順位の不在着信の発信元に対応づけられている画像を表示するものであることを特徴とする画像表示方法。
【発明の詳細な説明】
【技術分野】
【０００１】
本発明は、無線通信機能を有する、携帯電話機等の携帯端末装置、その携帯端末装置内で実行される不在着信プログラム、および、携帯端末装置における不在着信時の画像表示方法に関する。
【背景技術】
【０００２】
今日、携帯電話機が極めて広範に普及しており、携帯電話機での通話や電子メールの送受信が日常的に行われている。この携帯電話機は、携帯せずに置いてある場合はもちろん、携帯していてもその携帯電話機にかかってきた電話を受けたり受信した電子メールを直ちには確認できない場面も多々存在する。
【０００３】
そのような場面に遭遇したときに対処するため、電話や電子メールの着信があったときにユーザが直ちに応答操作をしないと、不在者着信があったことのメッセージを表示するシステムとなっている。この表示されたメッセージを確認したユーザは、携帯電話機を操作して発信者の情報や電子メールの内容等を確認することができる。
【０００４】
また、文字メッセージに代えて、発信者番号に対応づけられた特定の画像を表示することにより、不在着信の存在を知らせることも知られている（特許文献１）。
【特許文献１】特開２００３−３３３１３７号公報
【発明の開示】
【発明が解決しようとする課題】
【０００５】
不在着信があったときにメッセージを表示する従来のシステムの場合、ユーザには不在着信の発信者確認の操作や、不在着信時の電子メールを開く操作を行なってはじめて発信者を知ることができ、発信者さえ分かれば、特に応答したり電子メールの内容を確認したりすることが不要である場合であってもその操作を必要とし、その操作が煩わしいという問題がある。
【０００６】
これに対し、特許文献１に開示された、不在着信時に発信者番号に対応づけられた画像を表示すると、一見しただけで発信者を知ることができ、好ましい。しかしながら、特許文献１の技術で発信者を直ちに知ることができるのは不在着信１件分の発信者についてであり、複数の不在着信があったときは、その複数の不在着信の発信者を確認することはできない。
【０００７】
本発明は、上記事情に鑑み、複数の不在着信の発信元を容易に確認できる機能を備えた、例えば携帯電話機等の携帯端末装置、および、携帯端末装置に、複数の不在着信の発信者を容易に確認できる機能を付与する不在着信プログラム、並びに、携帯端末装置における、複数の不在着信の発信者を容易に確認できる画像表示方法を提供することを目的とする。
【課題を解決するための手段】
【０００８】
上記目的を達成する本発明の携帯端末装置は、無線通信機能を有する携帯端末において、
着信時に着信に応じた操作が行なわれなかった不在着信があったときに表示すべき画像を、その不在着信の発信元と対応づけて記憶しておく対応記憶部と、
表示画面を有し、不在着信があったときにその不在着信の発信元に対応づけられている画像を該表示画面上に表示する画像表示部と、
表示画面上に表示されている、不在着信の発信元に対応づけられた画像を消去する操作を受け付けて、画像表示部に画像を消去させる画像消去指示部とを備え、
上記画像表示部は、複数の不在着信があったときに、表示画面上に、所定の優先順位に従い、それら複数の不在着信のうちの優先順位が最も高い不在着信の発信元に対応づけられている画像を表示するとともに、画像消去指示部からの画像消去の指示を受けて、表示画面上に現在表示されている画像を消去して、上記複数の不在着信のうちの、今回消去した画像に対応づけられた不在着信の次に高い優先順位の不在着信の発信元に対応づけられている画像を表示するものであることを特徴とする。
【０００９】
本発明の携帯端末装置は、複数の不在着信があったときに優先順位の最も高い画像を表示し、その画像の消去の操作に伴って、次に高い優先順位の画像を表示するものであり、複数の不在着信があったときにもそれら複数の不在着信の発信元を順次に容易に確認することができる。
【００１０】
ここで、本発明の携帯端末装置において、上記画像表示部は、複数の不在着信があったときに、時間的に後の不在着信ほど高い優先順位を付与して、表示画面上に、最新の不在着信の発信元に対応づけられている画像を表示するものであってもよい。
【００１１】
あるいは、本発明の携帯端末装置において、上記対応記憶部は、画像と発信元とを対応づけて記憶するとともに、さらに発信元どうしの優先順位を記憶しておくものであって、上記画像表示部が、複数の不在着信があったときに、対応記憶部に記憶された優先順位に従って、表示画面上に、それら複数の不在着信の発信元のうちの優先順位が最も高い発信元に対応づけられている画像を表示するものであることも好ましい態様である。
【００１２】
さらに、本発明の携帯端末装置において、この携帯端末装置が、無線通信により電話を受ける電話受話機能と、無線通信により電子メールを受信するメール受信機能とを有し、上記対応記憶部が、受話機能とメール受信機能との間で付された優先順位を記憶しておくものであって、上記画像表示部が、電話の不在着信と電子メールの不在着信との双方の不在着信があったときに、対応記憶部に記憶された優先順位に従って、表示画面上に、電話の不在着信と電子メールの不在着信とのうちの優先順位の高い不在着信の発信元に対応づけられている画像を表示するものであってもよい。
【００１３】
さらに、本発明の携帯端末装置において、上記画像表示部は、不在着信の発信元に対応づけられている画像を全ての不在着信について消去したときに、表示画面上に、あらかじめ定められている待受画面を表示するものであってもよい。
【００１４】
また、上記目的を達成する本発明の不在着信プログラムは、無線通信機能を有する携帯端末装置内で実行されることにより、その携帯端末装置を、
着信時に着信に応じた操作が行なわれなかった不在着信があったときに、表示すべき画像を発信元と対応づけて記憶しておく対応記憶部と、
表示画面を有し、不在着信があったときにその不在着信の発信元に対応づけられている画像を表示画面上に表示する画像表示部と、
表示画面上に表示されている、不在着信の発信元に対応づけられた画像を消去する操作を受け付けて、画像表示部にその画像を消去させる画像消去指示部とを備え、
上記画像表示部は、複数の不在着信があったときに、表示画面上に、所定の優先順位に従い、該複数の不在着信のうちの優先順位が最も高い不在着信の発信元に対応づけられている画像を表示するとともに、前記画像消去指示部からの画像消去の指示を受けて、前記表示画面上に現在表示されている画像を消去して、前記複数の不在着信のうちの、今回消去した画像に対応づけられた不在着信の次に高い優先順位の不在着信の発信元に対応づけられている画像を表示するものである携帯端末装置として動作させることを特徴とする。
【００１５】
ここで、本発明の不在着信プログラムにおいて、上記画像表示部は、複数の不在着信があったときに、時間的に後の不在着信ほど高い優先順位を付与して、表示画面上に、最新の不在着信の発信元に対応づけられている画像を表示するものであってもよく、あるいは、本発明の不在着信プログラムにおいて、上記対応記憶部は、画像と発信元とを対応づけるとともに、さらに発信元どうしの優先順位を記憶しておくものであって、上記画像表示部が、複数の不在着信があったときに、対応記憶部に記憶された優先順位に従って、表示画面上にそれら複数の不在着信の発信元のうちの優先順位が最も高い発信元に対応づけられている画像を表示するものであることも好ましい態様である。
【００１６】
さらに、本発明の不在着信プログラムにおいては、この携帯端末装置が、無線通信により電話を受ける電話受話機能と、無線通信により電子メールを受信するメール受信機能とを有し、上記対応記憶部が、受話機能とメール受信機能との間で付された優先順位を記憶しておくものであって、上記画像表示部が、電話の不在着信と電子メールの不在着信との双方の不在着信があったときに、対応記憶部に記憶された優先順位に従って、表示画面上に、不在着信と電子メールの不在着信とのうちの優先順位の高い不在着信の発信元に対応づけられている画像を表示するものであってもよい。
【００１７】
さらに本発明の不在着信プログラムにおいては、上記画像表示部は、不在着信の発信元に対応づけられている画像を全ての不在着信について消去したときに、表示画面上に、あらかじめ定められている待受画面を表示するものであってもよい。
【００１８】
また、本発明の画像表示方法は、無線通信機能を有する携帯端末装置における画像表示方法であって、
着信時に着信に応じた操作が行なわれなかった不在着信があったときに表示すべき画像を、該不在着信の発信元と対応づけて記憶しておく対応記憶ステップと、
不在着信があったときに該不在着信の発信元に対応づけられている画像を表示画面上に表示するとともに、その表示画面上に表示されている、不在着信の発信元に対応づけられた画像を消去する操作を受け付けて、その表示されている画像を消去する画像表示ステップとを有し、
上記画像表示ステップは、複数の不在着信があったときに、表示画面上に、所定の優先順位に従い、それら複数の不在着信のうちの優先順位が最も高い不在着信の発信元に対応づけられている画像を表示するとともに、画像消去の指示を受けて、表示画面上に現在表示されている画像を消去して、それら複数の不在着信のうちの、今回消去した画像に対応づけられた不在着信の次に高い優先順位の不在着信の発信元に対応づけられている画像を表示するものであることを特徴とする。
【発明の効果】
【００１９】
以上、説明したように、本発明によれば、複数の不在着信の発信元を容易に確認することができる。
【発明を実施するための最良の形態】
【００２０】
以下、本発明の実施形態について説明する。
【００２１】
図１は、本発明の一実施形態の携帯端末装置の内面側を示す外観斜視図、図２は、図１に示す携帯端末装置と同一の携帯端末装置の背面側を示す外観斜視図である。
【００２２】
この携帯端末装置１０は、互いに開閉する上部筐体２０と下部筐体３０とで構成されており、上部筐体２０の内面側には、図１に示すように、画像を表示するための、透明なアクリル板等の窓材で覆われた画面表示窓２１や、内部に小型のスピーカが配備され耳に宛がわれて音声を出力する送話口２２が配備されている。
【００２３】
また、下部筐体３０には、図１に示すように、その内面側に、多数の操作ボタン３１、内部に小型のマイクロホンが配備され、ユーザの声をそのマイクロホンに伝える受話口３２、および内部に、耳から離していても聞き取れるだけの音量の音声を出力するスピーカが配備された発音口３３が備えられており、また、下部筐体３０の背面側には、図２に示すように、アンテナ３４や内部の電池室に装填された電池を覆う電池蓋３５が備えられている。また、下部筐体３０の側面にも操作ボタン３６が配置されている。
この図１，図２に示す携帯端末装置１０は、電話の送受話や電子メールの送受信等の機能を有する。
【００２４】
図３は、図１、図２に示す携帯端末装置内部の回路構成ブロック図である。
【００２５】
ここには、無線送受信部４１、ベースバンド処理部４２、およびインターフェイス部４３が示されている。
【００２６】
無線送受信部４１は、アンテナ３４（図２を合わせて参照）を介しての無体送信を担う回路ブロックである。
【００２７】
また、ベースバンド処理部４２は、無線通信用の周波数帯域と音声等の周波数帯域との間の、信号の周波数変換処理やその他の信号処理を行なう回路ブロックである。
【００２８】
また、インターフェイス部４３は、ベースバンド処理部４２と、スピーカ５１およびマイクロホン５２との間の信号の受け渡しを行なう回路ブロックである。
【００２９】
これら無線送受信部４１、ベースバンド処理部４２、およびインターフェイス部４３は、いずれも制御部４４に接続されており、この制御部４４の制御の下で各処理が行なわれる。
【００３０】
また、この制御部４４には、さらに、メモリ４５、入力操作部４６、および表示部４７が接続されている。
【００３１】
メモリ４５には、通話相手先の電話番号、電子メールの相手先のアドレス、画像、およびその他各種の情報を記憶しておく登録部４５１と、着信履歴や発信履歴等の各種の履歴情報を記録しておく履歴部４５２、および、電子メールが記録されるメール記録部４５３が設定されている。本実施形態では、不在着信に着目しており、不在着信時に表示される画像や優先順位情報等は登録部４５１に登録されており、不在着信の履歴は履歴部４５２に記録される。
【００３２】
このメモリ４５への情報の書き込みおよびこのメモリ４５からの情報の読み出しは、制御部４４により制御されている。
【００３３】
また、入力操作部４６は、図１，図２に示す多数の操作ボタン３１，３６の操作情報を制御部４４に伝達する回路ブロックである。
【００３４】
また、表示部４７は、制御部４４から送られてきたデータを表示用の信号に変換して表示画面４８に表示する役割りを担っている。
【００３５】
この表示画面４８は、図１に示す画面表示窓２１から視認される表示画面である。
【００３６】
電話で話すときは、制御部４４の制御の下で、アンテナ３４でピックアップされた無線信号が、無線送受信部４１で受信され、ベースバンド処理部４２での処理を受け、インターフェイス４３を経由してスピーカ５１に伝えられて音声として出力される。また、マイクロホン５２でピックアップされた音声は、音声信号としてインターフェイス部４３を介してベースバンド部４２に伝送され、ベースバンド部４２で無線送信のための信号変換を受け、無線受信部４１によりアンテナ３４を介して無線送信される。
【００３７】
ここで電話がかかってきても入力操作部４６からの受話操作が行なわれないと、制御部４４は、今回電話をかけてきた発信元の電話番号と同じ電話番号をメモリ４５の登録部４５１からさがし、その電話番号に対応づけられている画像を読み出して表示部４７に送り、表示部４７は、その画像を、表示画面４８上に表示される。また、制御部４４は、履歴部４５２の不在着信履歴の欄に、今回の不在着信の発信元の情報を書き込む。
【００３８】
また、電子メールの受信の場合、その電子メールの信号がアンテナ３４でピックアップされて無線送受信部４１で受信され、その受信信号がベースバンド部４２に送られ、ベースバンド部４２で電子メール受信用の処理を受け、制御部４４を介して、その電子メールがメモリ４５のメール記録部４５３に記録され、また、その記録と共に、メモリ４５の履歴部４５２の不在着信履歴の欄に、今回の電子メールの発信元の情報が書き込まれる。更に、制御部４４により、その発信元に対応づけられてメモリ４５の登録部４５１に記憶されている画像が読み出されて表示部４７に送られ、その画像が表示画面４８上に表示される。表示画面４８上に表示された電話または電子メールの不在着信用の画像は、入力操作部４６からの操作により消去することができる。画像表示および消去の詳細は後述する。
【００３９】
また、入力操作部４６から電子メールの文章を入力し、制御部４４、ベースバンド処理部４２、無線送受信部４１、およびアンテナ３４を介して、電子メールを送信することもできる。
【００４０】
以下では、本発明の主題である、電話および電子メールの不在着信に限って説明を進める。
【００４１】
図４は、様々な待受画像の例を示す図である。
【００４２】
待受画像（Ａ）〜（Ｃ）は、特定の人の写真であったり、あるいは、特定の人を印象づけるイラストのような画像である。これらの待受画像（Ａ）〜（Ｃ）は、不在着信の際に表示画面上に表示される。また、標準待受画像（Ｄ）は、そのユーザの好みで選択された、不在着信とは無関係に、あるいは不在着信を全て消去した後に表示画面上に表示される画像である。
【００４３】
この図４に示す、待受画像（Ａ）〜（Ｃ）および標準待受画像（Ｄ）は、図３に示すメモリ４５の登録部４５１に、画像データとして記憶されている。
【００４４】
尚、この図４に示す待受画像は例示であり、さらに多数の待受画像を記憶させておいたり、追加、削除したりすることもできる。
【００４５】
図５は、電話番号簿の拡張版を示すテーブルである。
【００４６】
このテーブルには、電話番号のみでなく、以下に説明する様々な情報が記録されているが、ここでは、このテーブル全体を電話番号簿と称する。
【００４７】
この図５に示す電話番号簿には、「登録名」、「不在着信の登録待受画像」、「優先度」、「種類」（「電話番号」と「メールアドレス」）が対応づけられて記録されている。
【００４８】
「登録名」は、その電話番号やメールアドレスを持った相手の氏名や名称、あるいはニックネーム等であり、ここでは簡単のため、あ、い、う、…と記載されている。
【００４９】
「不在着信の登録待受画像」は、その「登録名」を発信元とする電話着信や電子メール受信があって直ちには応答しなかったときに表示画面上に表示される画像の有無およびその画像が指定されている。
【００５０】
また、「優先度」は、複数の不在着信があったときに表示画面上に表示する画像の優先度を表わしている。例えば、登録名「い」に対応して優先度「３」が指定されており、登録名「え」に対応して優先度「１」が指定されているため、これら２つの登録名「い」、「え」を発信元とする不在着信があったときは、表示画面上には登録名「え」に対応する待受画像（Ｂ）が表示される。
【００５１】
更に、「電話番号」と「メールアドレス」は、その「登録名」に対応づけられた電話番号と電子メールアドレスである。
【００５２】
この図５に示す電話番号簿は、図３の入力操作部４６からのユーザ操作により作成、変更される。
【００５３】
図６は、電話と電子メールとの間の優先度を表わす優先度テーブルを示す図である。
【００５４】
電話とメールとの間で優先度の高い方に「１」、低い方に「０」が割り当てられる。電話とメールとの間に優先度を設けないときは、双方に「０」が割り当てられる。
【００５５】
この図６に示す優先度テーブルも、図５に示す電話番号簿と同様、図３の入力操作部４６からのユーザ操作により、図３のメモリ４５の登録部４５１に登録される。
【００５６】
図７は、データ受信時（電話着信時および電子メール受信時）に実行されるプログラムのフローチャートである。このプログラムは、図３に示す制御部４４で実行される。
【００５７】
データ受信前、すなわち、この図７のフローが実行される前は、それまでに不在着信がなかったときは、表示画面上には標準待受画像（Ｄ）（図４参照）が表示されており、それまでに不在着信があったときは、その不在着信に応じた待受画像（Ａ）〜（Ｃ）が表示されている。
【００５８】
データ受信（電話着信または電子メール受信）があると（Ｓ１１）、表示画面上にはデータ受信を表わす受信画像が表示される（Ｐ１１）。この受信画像は、図示省略されているが、データ受信があったことを知らせる画像であって、やはり図３のメモリ４５の登録部４５１に登録されている画像である。
【００５９】
表示画面上に受信画像を所定時間表示している間に、ユーザによる受話操作（電話着信の場合）あるいはメール開封操作（電子メール受信の場合）が行なわれないと、不在着信の処理に移行する。この不在着信処理では、先ず、今回のデータの発信元に対応して画像が登録されているか否かが判定され（Ｓ１２：図５参照）、画像の登録が無いときは、データ受信前の待受画像表示に戻る（Ｐ１２）。
【００６０】
一方、今回のデータの発信元に対応して画像が登録されていたときは（Ｓ１２）、次に今回の発信元に対応して優先度が登録されているか否かが判定される（Ｓ１３）。
【００６１】
優先度が登録されている時は、スラップＳ１４に進み、今回の発信元に対応する優先度が現在表示されている待受画像（ここでは、一時的に表示された受信画像は無視した表現で説明している）の方の優先度が高い時は、今回のデータ受信前の、つまり今回よりも優先度が高い待受画像が引き続き表示される（Ｐ１３）。一方、ステップＳ１４において、今回の不在着信の方が優先度が高いと判定された時は、今回の不在着信の発信元に対応して登録されている待受画像が表示される（Ｐ１４）。
【００６２】
一方、ステップＳ１３において、今回受信したデータの発信元に対応しては優先度が登録されていないときは（図５参照）、ステップＳ１５に進み、種類（電話、メール）の優先度が設定されているか否かが判定される（図６参照）。
【００６３】
ステップＳ１５において種類（電話、メール）の優先度が設定されている旨、判定されると、ステップＳ１６に進み、今回の不在着信のデータ種類の方が、現在表示されている待受画像のデータ種類よりも優先度が高いか否かが判定され、今回の方が優先度が高いときは、今回の不在着信の受信元に対応して登録されている待受画像が表示される（Ｓ１５）。
【００６４】
一方、ステップＳ１６において、今回の不在着信のデータ種類の方が、現在表示されている待受画像のデータ種類よりも優先度が低いと判定された時、およびステップＳ１５で種類（電話，メール）による優先度が設定されていないと判定された時は、ステップＳ１７に進み、図５に示すテーブルの優先度に従って、今回の発信元に対応する優先度が現在表示されている待受画像の方の優先度が高ければ、今回のデータ受信前の、つまり今回よりも優先度が高い待受画像が引き続き表示される（Ｐ１６）。一方、ステップＳ１７において、今回の方が優先度が高いと判定された時は、今回の発信元に対応して登録されている待受画像が表示される（Ｐ１７）。
【００６５】
図８は、上記のような不在着信が重なったときに作成される不在着信履歴テーブルを示す図である。この不在着信履歴テーブルは、図３に示すメモリ４５の履歴部４５２内に作成される。
【００６６】
ここでは、不在着信が３回続いて、図９に示すテーブルが作成され、表示画面上には、順位１番の登録名「あ」に対応する待受画像（Ａ）が表示されているものとする。
【００６７】
図８の場面は、例えば、図６に示すように「電話」の優先度が「メール」よりも高く、登録名「あ」について電話の不在着信があり、登録名「え」と「か」について電子メールの不在着信があったときに生じる。
【００６８】
図９は、不在着信キャンセル操作時に実行されるフローチャートである。
【００６９】
図３に示す入力操作部４６からのユーザ操作により不在着信をキャンセルする操作（メール等の内容を確認する操作および内容は確認せずにキャンセルする操作のいずれの操作であってもよい）を受けると（ステップＳ２１）、表示画面上に現在表示されている待受画像が消去され（Ｐ２１）これに伴って図８に示す不在着信履歴テーブルが更新される。さらに、他に画像が設定されている不在着信データが存在するか否かが判定され（Ｓ２２）、他にはないときは標準の待受画像（図４（Ｄ）参照）が表示され（Ｐ２２）、他にもあるときは、残りのうちの優先度の一番高いデータの待受画像が表示される（Ｐ２３）。
【００７０】
図１０は、不在着信キャンセルの場面での、表示画面の変化を示す図である。
【００７１】
ここでは、表示画面上に、登録名「あ」に対応する待受画面（Ａ）が表示されており、不在着信キャンセルの操作があると、その待受画像（Ａ）に代わり、今度は、登録名「え」に対応する待受画面（Ｂ）が表示され、もう一度不在着信キャンセルの操作があると、今度のその待受画像（Ｂ）に代わり、登録名「か」に対応する待受画面「Ｃ」が表示され、さらにもう一度、不在着信キャンセルの操作があると、標準画面（Ｄ）が表示される。
【００７２】
以上のとおり、本実施形態によれば、不在着信が複数有った時も、それらの不在着信それぞれに対応する待受画像を優先順に順次容易に確認することができる。
【００７３】
以下、本発明の各種態様を付記する。
【００７４】
（付記１）
無線通信機能を有する携帯端末装置において、
着信時に着信に応じた操作が行なわれなかった不在着信があったときに表示すべき画像を、該不在着信の発信元と対応づけて記憶しておく対応記憶部と、
表示画面を有し、不在着信があったときに該不在着信の発信元に対応づけられている画像を該表示画面上に表示する画像表示部と、
前記表示画面上に表示されている、不在着信の発信元に対応づけられた画像を消去する操作を受け付けて、前記画像表示部に該画像を消去させる画像消去指示部とを備え、
前記画像表示部は、複数の不在着信があったときに、前記表示画面上に、所定の優先順位に従い、該複数の不在着信のうちの優先順位が最も高い不在着信の発信元に対応づけられている画像を表示するとともに、前記画像消去指示部からの画像消去の指示を受けて、前記表示画面上に現在表示されている画像を消去して、前記複数の不在着信のうちの、今回消去した画像に対応づけられた不在着信の次に高い優先順位の不在着信の発信元に対応づけられている画像を表示するものであることを特徴とする携帯端末装置。
【００７５】
（付記２）
前記画像表示部は、複数の不在着信があったときに、時間的に後の不在着信ほど高い優先順位を付与して、前記表示画面上に、最新の不在着信の発信元に対応づけられている画像を表示するものであることを特徴とする付記１記載の携帯端末装置。
【００７６】
（付記３）
前記対応記憶部は、画像と発信元とを対応づけて記憶するとともに、さらに発信元どうしの優先順位を記憶しておくものであって、
前記画像表示部が、複数の不在着信があったときに、前記対応記憶部に記憶された優先順位に従って、前記表示画面上に、該複数の不在着信の発信元のうちの優先順位が最も高い発信元に対応づけられている画像を表示するものであることを特徴とする付記１記載の携帯端末装置。
【００７７】
（付記４）
この携帯端末装置が、無線通信により電話を受ける電話受話機能と、無線通信により電子メールを受信するメール受信機能とを有し、
前記対応記憶部が、受話機能とメール受信機能との間で付された優先順位を記憶しておくものであって、
前記画像表示部が、電話の不在着信と電子メールの不在着信との双方の不在着信があったときに、前記対応記憶部に記憶された優先順位に従って、前記表示画面上に、電話の不在着信と電子メールの不在着信とのうちの優先順位の高い不在着信の発信元に対応づけられている画像を表示するものであることを特徴とする付記１記載の携帯端末装置。
【００７８】
（付記５）
前記画像表示部は、不在着信の発信元に対応づけられている画像を全ての不在着信について消去したときに、前記表示画面上に、あらかじめ定められている待受画面を表示するものであることを特徴とする付記１記載の携帯端末装置。
【００７９】
（付記６）
無線通信機能を有する携帯端末装置内で実行されることにより、該携帯端末装置を、
着信時に着信に応じた操作が行なわれなかった不在着信があったときに表示すべき画像を、該不在着信の発信元と対応づけて記憶しておく対応記憶部と、
表示画面を有し、不在着信があったときに該不在着信の発信元に対応づけられている画像を該表示画面上に表示する画像表示部と、
前記表示画面上に表示されている、不在着信の発信元に対応づけられた画像を消去する操作を受け付けて、前記画像表示部に該画像を消去させる画像消去指示部とを備え、
前記画像表示部が、複数の不在着信があったときに、前記表示画面上に、所定の優先順位に従い、該複数の不在着信のうちの優先順位が最も高い不在着信の発信元に対応づけられている画像を表示するとともに、前記画像消去指示部からの画像消去の指示を受けて、前記表示画面上に現在表示されている画像を消去して、前記複数の不在着信のうちの、今回消去した画像に対応づけられた不在着信の次に高い優先順位の不在着信の発信元に対応づけられている画像を表示するものである携帯端末装置として動作させることを特徴とする不在着信プログラム。
【００８０】
（付記７）
前記画像表示部は、複数の不在着信があったときに、時間的に後の不在着信ほど高い優先順位を付与して、前記表示画面上に、最新の不在着信の発信元に対応づけられている画像を表示するものであることを特徴とする付記６記載の不在着信プログラム。
【００８１】
（付記８）
前記対応記憶部は、画像と発信元とを対応づけるとともに、さらに発信元どうしの優先順位を記憶しておくものであって、
前記画像表示部が、複数の不在着信があったときに、前記対応記憶部に記憶された優先順位に従って、前記表示画面上に、該複数の不在着信の発信元のうちの優先順位が最も高い発信元に対応づけられている画像を表示するものであることを特徴とする付記６記載の不在着信プログラム。
【００８２】
（付記９）
この携帯端末装置が、無線通信により電話を受ける電話受話機能と、無線通信により電子メールを受信するメール受信機能とを有し、
前記対応記憶部が、受話機能とメール受信機能との間で付された優先順位を記憶しておくものであって、
前記画像表示部が、電話の不在着信と電子メールの不在着信との双方の不在着信があったときに、前記対応記憶部に記憶された優先順位に従って、前記表示画面上に、不在着信と電子メールの不在着信とのうちの優先順位の高い不在着信の発信元に対応づけられている画像を表示するものであることを特徴とする付記６記載の不在着信プログラム。
【００８３】
（付記１０）
前記画像表示部は、不在着信の発信元に対応づけられている画像を全ての不在着信について消去したときに、前記表示画面上に、あらかじめ定められている待受画面を表示するものであることを特徴とする付記６記載の不在着信プログラム。
【００８４】
（付記１１）
無線通信機能を有する携帯端末装置における画像表示方法において、
着信時に着信に応じた操作が行なわれなかった不在着信があったときに表示すべき画像を、該不在着信の発信元と対応づけて記憶しておく対応記憶ステップと、
不在着信があったときに該不在着信の発信元に対応づけられている画像を該表示画面上に表示するとともに、該表示画面上に表示されている、不在着信の発信元に対応づけられた画像を消去する操作を受け付けて、該画像を消去する画像表示ステップとを有し、
前記画像表示ステップは、複数の不在着信があったときに、前記表示画面上に、所定の優先順位に従い、該複数の不在着信のうちの優先順位が最も高い不在着信の発信元に対応づけられている画像を表示するとともに、画像消去の指示を受けて、前記表示画面上に現在表示されている画像を消去して、前記複数の不在着信のうちの、今回消去した画像に対応づけられた不在着信の次に高い優先順位の不在着信の発信元に対応づけられている画像を表示するものであることを特徴とする画像表示方法。
【図面の簡単な説明】
【００８５】
【図１】本発明の一実施形態の携帯端末装置の内面側を示す外観である。
【図２】図１に示す携帯端末装置と同一の携帯端末装置の背面側を示す外観斜視図である。
【図３】図１、図２に示す携帯端末装置内部の回路構成ブロック図である。
【図４】様々な待受画像の例を示す図である。
【図５】電話番号簿の拡張版を示すテーブルを示す図である。
【図６】電話と電子メールとの間の優先度を表わす優先度テーブルである。
【図７】データ受信時（電話着信時および電子メール受信時）に実行されるプログラムのフローチャートである。
【図８】不在着信が重なったときに作成される不在着信履歴テーブルを示す図である。
【図９】不在着信キャンセル操作時に実行されるフローチャートである。
【図１０】不在着信キャンセルの場面での、表示画面の変化を示す図である。
【符号の説明】
【００８６】
１０    携帯端末装置
２０    上部筐体
２１    画面表示窓
２２    送話口
３０    下部筐体
３１    操作ボタン
３２    受話口
３３    発音口
３４    アンテナ
３５    電池蓋
３６    操作ボタン
４１    無線送受信部
４２    ベースバンド処理部
４３    インターフェイス部
４４    制御部
４５    メモリ
４６    入力操作部
４７    表示部
４８    表示画面
４５１    登録部
４５２    履歴部
４５３    記録部
【図１】
2007143057.tif 000003
【図２】
2007143057.tif 000004
【図３】
2007143057.tif 000005
【図４】
2007143057.tif 000006
【図５】
2007143057.tif 000007
【図６】
2007143057.tif 000008
【図７】
2007143057.tif 000009
【図８】
2007143057.tif 000010
【図９】
2007143057.tif 000011
【図１０】
2007143057.tif 000012